(57)【要約】【課題】高精度のアンテナ特性評価を行う。【解決手段】アンテナ特性評価システムは、評価対象のアンテナである複数の受信アンテナと、電波を放射する複数の送信アンテナと、制御部と、評価部とを備える。制御部は、信号を生成して信号の周波数変換を行い、送信アンテナの数以上の周波数を生成して、送信アンテナに割り振る周波数の組み合わせを可変設定する。評価部は、受信アンテナと接続し、電波を受信したときの受信アンテナのアンテナ特性の評価を行う。これにより、実際の電波伝搬環境を精度よく模擬し、アンテナ間相関を含めたアンテナ特性評価を行う。【選択図】図１
2012021875.tif 000002
【特許請求の範囲】
【請求項１】
評価対象のアンテナである複数の受信アンテナと、
電波を放射する複数の送信アンテナと、
信号を生成して前記信号の周波数変換を行い、前記送信アンテナの数以上の周波数を生成して、前記送信アンテナに割り振る前記周波数の組み合わせを可変設定する制御部と、
前記受信アンテナと接続し、前記電波を受信したときの前記受信アンテナのアンテナ特性の評価を行う評価部と、
を有することを特徴とするアンテナ特性評価システム。
【請求項２】
前記制御部は、異なる周波数を合成した合成周波数を、前記送信アンテナ毎に割り振ることを特徴とする請求項１記載のアンテナ特性評価システム。
【請求項３】
前記制御部は、異なる周波数を重み付け合成した重み付け合成周波数を、前記送信アンテナ毎に割り振ることを特徴とする請求項１記載のアンテナ特性評価システム。
【請求項４】
前記制御部は、前記送信アンテナに複数の前記周波数を割り振る第１のパターンと、単一の前記周波数を割り振る第２のパターンとを設定し、前記第２のパターンの設定時間を前記第１のパターンの設定時間よりも短くすることを特徴とする請求項１記載のアンテナ特性評価システム。
【請求項５】
アンテナ特性評価方法において、
評価対象のアンテナである複数の受信アンテナと、電波を放射する複数の送信アンテナと、を反射箱内に配置し、
信号を生成して前記信号の周波数変換を行い、前記送信アンテナの数以上の周波数を生成して、前記送信アンテナに割り振る前記周波数の組み合わせを可変設定し、
前記周波数の組み合わせが設定された前記電波を放射して、前記電波を受信したときの前記受信アンテナのアンテナ特性の評価を行う、
ことを特徴とするアンテナ特性評価方法。
【発明の詳細な説明】
【技術分野】
【０００１】
本発明は、アンテナ特性の評価を行うアンテナ特性評価システムおよびアンテナ特性評価方法に関する。
【背景技術】
【０００２】
アンテナは、無線伝送特性を左右するキー部品の１つであり、高品質なワイヤレス通信を実現するためには、高性能なアンテナが要求される。また、電波伝搬環境に応じた、電波の放射・吸収特性を最適化したアンテナ設計を行うためには、アンテナの特性を測定・評価するアンテナ特性評価技術が重要となる。
【０００３】
一方、近年のワイヤレス通信の分野では、ＭＩＭＯ（Multi Input Multi Output：複数のアンテナを用いて、データの送受信を行うワイヤレス通信技術）方式を使った高速無線通信が開発されており、将来、携帯端末などの小型の機器においても、マルチアンテナの実装が必須となると予測される。
【０００４】
また、マルチアンテナの設計を行う場合は、電波伝搬環境において、複数のアンテナの指向性を互いに補完して、アンテナ間での受信状態の相関（アンテナ間相関）が小さくなるような放射（吸収）パターンの最適化が行われる。
【０００５】
したがって、マルチアンテナの特性を評価する場合は、アンテナ単体の特性ばかりでなく、アンテナ間相関が、アンテナ特性を決める際の重要な評価指標となる。また、誤り率（BLER：block error probability）やスループット等の無線特性を決める際にも、アンテナ間相関は重要な要素となる。
【０００６】
実際の電波伝搬環境においては、基地局から送信された搬送電波（キャリア）は、マルチパス（信号波が山やビルなどの反射によって複数の経路を伝搬する現象）を経由して通信端末に到達する。
【０００７】
したがって、通信端末が移動していた場合には、各パスでキャリアの到来角度に依存してキャリア周波数が異なるドップラシフトを受けることになる（キャリア周波数にあらたなドップラ周波数が加わり、受信周波数が変位することになる）。
【０００８】
このため、通信端末では、周波数領域において広がった複数の信号を受信することにより、レベルが激しく変動するフェージング（時間差をもって到達した電波の波長が干渉し合うことによって電波レベルの強弱が変化する現象またはその変動波）を受ける。フェージングによる受信レベル変動は、無線通信における情報伝送のBLERを増大する原因となる。
【０００９】
したがって、アンテナ間相関を精度よく評価するには、実際の電波伝搬環境を模擬したフェージング環境を再現することが望まれる。そして、このフェージング環境で測定した値を統計処理して最適化設計を実現することで、アンテナの品質向上が可能となる。
【００１０】
アンテナ特性評価の従来技術として、無反射系の環境に複数の照射用アンテナを設置し、ＭＩＭＯ無線機のアンテナを評価する技術が提案されている（特許文献１）。また、反射シールドボックス内に複数の送信用アンテナを配置し、電磁界環境特性を再現するシステムが提案されている（特許文献２）。さらに、無相関の正弦波を加算してマルチパスフェージング環境に対応するシミュレータの構成が提案されている（特許文献３）。
【先行技術文献】
【特許文献】
【００１１】
【特許文献１】特開２００９−４９９６６号公報
【特許文献２】特開２０００−２０９１６６号公報
【特許文献３】特開２００６−１７４２５４号公報
【発明の概要】
【発明が解決しようとする課題】
【００１２】
アンテナの評価環境をシステムで構築する場合、近年では、構成が小規模な反射箱を用いた評価系が注目されている。反射箱とは、内部に反射壁が設けられた箱状の装置であり、反射箱内に被測定のアンテナが設置されてアンテナ特性評価が行われる。
【００１３】
しかし、従来の反射箱を用いた評価系では、マルチアンテナの特性評価を行う場合に、反射箱内で実際のフェージング環境を精度よく再現するための構成や制御が施されていなかった。
【００１４】
すなわち、実環境においては、マルチアンテナに達する複数の信号波は、到来方向や周波数が異なり、互いに独立した状態で到達するが、従来の反射箱を用いた評価系では、このような環境を精度よく模擬することが考慮されていなかった。このため、従来では、マルチアンテナの特性評価を行う場合、被測定アンテナ間の相関性を精度よく評価できないといった問題があった。
【００１５】
本発明はこのような点に鑑みてなされたものであり、実際の電波伝搬環境を精度よく模擬して、高精度のアンテナ特性評価を行うアンテナ特性評価システムを提供することを目的とする。
【００１６】
また、本発明の他の目的は、実際の電波伝搬環境を精度よく模擬して、高精度のアンテナ特性評価を行うアンテナ特性評価方法を提供することである。
【課題を解決するための手段】
【００１７】
上記課題を解決するために、アンテナ特性評価システムが提供される。このアンテナ特性評価システムは、評価対象のアンテナである複数の受信アンテナと、電波を放射する複数の送信アンテナと、信号を生成して前記信号の周波数変換を行い、前記送信アンテナの数以上の周波数を生成して、前記送信アンテナに割り振る前記周波数の組み合わせを可変設定する制御部と、前記受信アンテナと接続し、前記電波を受信したときの前記受信アンテナの前記アンテナ特性の評価を行う評価部とを有する。
【発明の効果】
【００１８】
高精度のアンテナ特性評価を行うことが可能になる。
【図面の簡単な説明】
【００１９】
【図１】アンテナ特性評価システムの構成例を示す図である。
【図２】マルチアンテナの放射パターンを説明するための図である。
【図３】アンテナ間相関が小さい場合の電波受信強度を示す図である。
【図４】アンテナ間相関が大きい場合の電波受信強度を示す図である。
【図５】フェージング環境を生成している様子を示す図である。
【図６】ドップラ周波数を説明するための図である。
【図７】通信端末の進行方向と電波の到来角とに応じたドップラ周波数の変化を示す図である。（Ａ）は通信端末の進行方向に対し同一方向のパスから電波を受けた場合、（Ｂ）は通信端末の進行方向に対し垂直方向から電波を受けた場合を示している。
【図８】ハイブリッド方式評価系の構成例を示す図である。
【図９】制御部の構成例を示す図である。
【図１０】制御部による周波数の割り振り例を示す図である。
【図１１】制御部による周波数の割り振り例を示す図である。
【図１２】制御部による周波数の割り振り例を示す図である。
【図１３】制御部の構成例を示す図である。
【図１４】制御部による周波数の割り振り例を示す図である。
【図１５】制御部による周波数の割り振り例を示す図である。
【図１６】制御部の構成例を示す図である。
【図１７】制御部による周波数の割り振り例を示す図である。
【図１８】制御部による周波数の割り振り例を示す図である。
【図１９】制御部の構成例を示す図である。
【図２０】制御部による周波数の割り振り例を示す図である。
【発明を実施するための形態】
【００２０】
以下、本発明の実施の形態を図面を参照して説明する。図１はアンテナ特性評価システムの構成例を示す図である。アンテナ特性評価システム１は、制御部１０、反射箱２０、評価部３０、送信アンテナ２１−１、２１−２および受信アンテナ２２−１、２２−２を有する（図の例では、反射箱２０内に送信アンテナが２つ、受信アンテナが２つ配置しているが、これらの個数は任意である）。
【００２１】
受信アンテナ２２−１、２２−２は、反射箱２０内に配置され、アンテナ特性評価対象の被測定アンテナである。送信アンテナ２１−１、２１−２は、電波を放射する散乱体アンテナであり、反射箱２０内に配置される。
【００２２】
制御部１０は、送信アンテナ２１−１、２１−２と接続し、ベースバンド信号を生成してベースバンド信号の周波数変換を行う。そして、送信アンテナの数以上のドップラ周波数を生成して、送信アンテナに割り振るドップラ周波数の組み合わせを可変設定する（以降では、ドップラ周波数を単に周波数とも呼ぶ）。なお、各周波数は電波の周波数帯までアップコンバートされ、アップコンバート後の信号は、送信アンテナ２１−１、２１−２を介して反射箱２０内に放射される。
【００２３】
評価部３０は、受信アンテナ２２−１、２２−２と接続し、送信アンテナ２１−１、２１−２から送信された電波を受信したときの受信アンテナ２２−１、２２−２のアンテナ特性の評価を行う。
【００２４】
具体的には、受信アンテナ２２−１、２２−２で受信された電波をダウンコンバートして、ベースバンド信号に変換し、ベースバンド信号にもとづいて、誤り率、伝送速度、アンテナ間相関などのアンテナ特性を解析する。
【００２５】
次にアンテナ特性評価システム１を説明する前に、アンテナ間相関、フェージング環境の生成およびドップラ周波数について説明する。最初にアンテナ間相関について説明する。
【００２６】
図２はマルチアンテナの放射パターンを説明するための図である。通信端末ＭＳにアンテナＡ１、Ａ２のマルチアンテナが設けられている。マルチアンテナ技術では、アンテナＡ１、Ａ２で受信状態を異なるようにし、片側のアンテナで受信困難な場合でも、反対側のアンテナで受信可能としたダイバーシティ受信を行うことで、通信品質を向上させる。
【００２７】
アンテナＡ１、Ａ２の受信状態が異なるほど、ダイバーシティ受信の効果が上がる。例えば、一方のアンテナであるアンテナＡ１の指向性が、左方向に電波を強く放射し（左方向に放射電力が強い）、右方向には電波を弱く放射するといった（右方向は放射電力が弱い）、放射パターンｐ１であるとする。
【００２８】
この場合には、他方のアンテナには、左方向に電波を弱く放射し、右方向には電波を強く放射する放射パターンｐ２となるような指向性を持つアンテナＡ２を、放射パターン同士が重ならない位置に配置する。
【００２９】
ここで、電波が左から右の方向に送信されて、通信端末ＭＳに到来した場合を考える。電波の放射パターンの強弱は、電波の吸収パターンの強弱と同じであるため、到来電波（到来電波ｂ１とする）に対して、アンテナＡ２では、吸収電力が弱いので受信困難となるが、アンテナＡ１では、吸収電力が強いので受信可能となる。
【００３０】
また、通信端末ＭＳが移動し、その移動地点において、電波が右から左の方向に送信されて通信端末ＭＳに到来したとすると、この到来電波（到来電波ｂ２とする）に対しては、アンテナＡ１では、吸収電力が弱いので受信困難であるが、アンテナＡ２では、吸収電力が強いので受信可能となる。
【００３１】
このように、マルチアンテナの設計を行う場合は、電波伝搬環境において、アンテナＡ１、Ａ２の指向性を互いに補完して、アンテナ間での受信状態のアンテナ間相関が小さくなるように、放射（吸収）パターンの最適化を行う。
【００３２】
図３はアンテナ間相関が小さい場合の電波受信強度を示す図である。縦軸は電波受信強度、横軸は時間である。図２で示したアンテナＡ１、Ａ２で、到来電波ｂ１、ｂ２を受信したときの受信強度を示している。
【００３３】
時間ｔ０〜ｔ１で到来電波ｂ１があったときは、アンテナＡ２の受信強度は低下するが、アンテナＡ１の受信強度は上昇する。また、時間ｔ１以降で到来電波ｂ２があったときは、アンテナＡ１の受信強度は低下するが、アンテナＡ２の受信強度は上昇する。このように、アンテナ間相関を小さくして、受信強度の劣化をアンテナ間で補うことができる。
【００３４】
図４はアンテナ間相関が大きい場合の電波受信強度を示す図である。縦軸は電波受信強度、横軸は時間である。通信端末ＭＳａには、図２で示したアンテナＡ１と同じ放射パターンを持つアンテナＡ２−１が設置してあるとする。
【００３５】
時間ｔ０〜ｔ１で到来電波ｂ１があったときは、アンテナＡ１、Ａ２−１ともに受信強度は上昇するが、時間ｔ１以降で到来電波ｂ２があったときは、アンテナＡ１、Ａ２−１ともに受信強度は低下してしまう。このように、アンテナ間相関が大きい場合は、放射パターンが落ち込む部分において、アンテナＡ１、Ａ２−１ともに受信強度が劣化することになる。したがって、マルチアンテナ設計を行う際は、アンテナ間相関が小さくなるような設計が行われ、評価をする上でもアンテナ間相関は重要な評価項目となる。
【００３６】
次に計算機シミュレーションによるフェージング環境の生成について説明する。図５はフェージング環境を生成している様子を示す図である。通信端末ＭＳの周辺に信号発生源５−１〜５−５が配置する。
【００３７】
信号発生源５−１〜５−５のそれぞれは、キャリア周波数に対して互いに異なるドップラ周波数Δｆ１〜Δｆ５シフトした周波数を持つ正弦波の電波を発生する。なお、信号発生源５−１〜５−５からは、素波（複数の信号波が合成されていない単一の信号波）の状態で各正弦波電波が放射される。
【００３８】
図５に示す評価環境では、通信端末ＭＳの周囲に配置された複数の信号発生源５−１〜５−５から、異なるドップラ周波数シフトした電波を放射させて、電波を合成させる。そして、通信端末ＭＳが合成波を受信することで、模擬的なフェージング環境を生成している。
【００３９】
次にドップラ周波数の定義について説明する。図６はドップラ周波数を説明するための図である。マルチパス中の１つのパスから到来したキャリア周波数ｆｃが、通信端末ＭＳの進行方向に対して角度θで到来する場合を考える。
【００４０】
通信端末ＭＳの移動速度をｖ、キャリアの波長をλ、到来角度をθとすると、ドップラ周波数Δｆは、進行方向を基準としたときの見かけ上の電波の波長によって次式のように表せる。
【００４１】
Δｆ＝ｖ／（λ／cosθ）＝ｖcosθ／λ・・・（１）
図７は通信端末ＭＳの進行方向と電波の到来角とに応じたドップラ周波数の変化を示す図である。（Ａ）は通信端末ＭＳの進行方向に対し同一方向のパスから電波を受けた場合、（Ｂ）は通信端末ＭＳの進行方向に対し垂直方向から電波を受けた場合を示している。
【００４２】
（Ａ）のように、通信端末ＭＳの進行方向と同一方向のパスから電波を受ければ、θ＝０、πとなり、式（１）より、ドップラ周波数の絶対値｜Δｆ｜は最大となる。
また、（Ｂ）のように、通信端末ＭＳの進行方向に対し垂直方向から電波を受ける場合は、進行方向に対する見かけ上の電波の波長は生成されないので、通信端末ＭＳが移動していないのと同じことになり、ドップラシフトの影響は受けない（θ＝π／２、３π／２となり、Δｆ＝０）。
【００４３】
ここで、図５で示した評価環境において、通信端末ＭＳが、ある方向に移動すると仮定すると、信号発生源５−１〜５−５には、通信端末ＭＳの移動方向に対する電波の到来角度に応じたドップラ周波数を設定して、そのドップラ周波数を持つ電波を放射させることになる。
【００４４】
例えば図５に示すように、通信端末ＭＳが矢印Ｘの信号発生源５−４の方向に移動すると仮定すると、信号発生源５−１〜５−５の周波数設定としては、式（１）からわかるように、信号発生源５−４のドップラ周波数Δｆ４が最も高くなるように設定し、その他の信号発生源からのドップラ周波数は、ドップラ周波数Δｆ４と比べて低くなるように設定する。
【００４５】
通信端末ＭＳは、固定しており、実際は移動させることはなく、その代わりに、通信端末ＭＳの移動方向に沿って変化するドップラ周波数の変化を、信号発生源５−１〜５−５側で可変に設定して、設定された電波を放射させるものである。
【００４６】
このように、通信端末ＭＳが移動したとみなしたときのドップラシフトを信号発生源側で生成し、このときに受信アンテナに生じる受信強度の落ち込みなどを測定評価したりする。
【００４７】
ここで、アンテナの評価環境をシステムで構築する場合、例えば、電波暗室内に複数のアンテナを配置した測定環境を構築し、このような電波暗室内で図５に示したようなアンテナ特性評価が行われている。
【００４８】
なお、電波暗室とは、室内の天井、壁、および床の全面に、電波吸収体を取り付けて、室内での電波の反射を抑えた部屋のことである。しかし、電波暗室を用いた評価システムでは、システム規模が大がかりとなり、また、広い暗室内で異なる複数の角度方向から反射波を生成するために、多数の散乱体アンテナを用意するなど、非常に高価な評価系になってしまうといった欠点があった。
【００４９】
これに対し、反射壁が内部に設けられた反射箱を用いたアンテナ評価方法は、小型の箱内で電波を反射させるので、反射箱の内部に１つの散乱体アンテナを設ければ、異なる複数の角度方向から反射波を生成することができ、低コストの評価系を生成できる。しかし、１つの散乱体アンテナを設けた評価系では、同じ電波が被測定アンテナに到来することになるので、時間的な環境の変化が生じないといった欠点があった。
【００５０】
一方、複数の散乱体アンテナを反射箱に設けたハイブリッド方式の評価系が注目されている。ハイブリッド方式の評価系では、複数の散乱体アンテナを用意して、各アンテナから反射箱内に、異なる複数の周波数の電波を出射する。
【００５１】
これにより、反射箱内で電波の重なり合わせが変化するので、時間的変動を生じさせることができる。しかし、このようなハイブリッド方式による評価系でも、マルチアンテナのアンテナ間相関については、精度よく評価できないといった問題があった。
【００５２】
次にマルチアンテナのアンテナ間相関を評価するために満たすべき条件について説明する。なお、以降の説明では、アップコンバート、ダウンコンバート等のＲＦ（Radio Frequency）系の処理部の説明は省略する。
【００５３】
図８はハイブリッド方式評価系の構成例を示す図である。アンテナ間相関を評価するための条件が満たされていない場合の構成を示している。
反射箱５０内に、アンテナ特性評価対象のアンテナである受信アンテナ５２−１、５２−２が配置される（簡単な例として、２本のマルチアンテナとしている）。また、反射箱５０内に、受信アンテナ５２−１、５２−２に電波を放射する散乱体アンテナである送信アンテナ５１−１、５１−２が配置される。
【００５４】
信号生成部６１は、ベースバンド信号を生成する。周波数変換部６２ａは、生成されたベースバンド信号の周波数を周波数ｆ１に変換し、送信アンテナ５１−１へ出力する。送信アンテナ５１−１は、周波数ｆ１の電波を反射箱５０内に放射する。
【００５５】
周波数変換部６２ｂは、生成されたベースバンド信号の周波数を周波数ｆ２に変換し、送信アンテナ５１−２へ出力する。送信アンテナ５１−２は、周波数ｆ２の電波を反射箱５０内に放射する。
【００５６】
ここで、送信アンテナ５１−１、５１−２から出射された電波の反射箱５０による反射波が、受信アンテナ５２−１、５２−２に到来したときの到来角度をθ1とする。そして、送信アンテナ５１−１、５１−２からの直接波が、受信アンテナ５２−１、５２−２に到来したときの到来角度をθ2とする。
【００５７】
また、送信アンテナ５１−１の出射波が、受信アンテナ５２−１へ伝搬するときの伝搬係数をｈ１とし、送信アンテナ５１−２の出射波が、受信アンテナ５２−２へ伝搬するときの伝搬係数をｈ２とする。
【００５８】
そして、送信アンテナ５１−１から出射された電波の反射箱５０による反射波が、受信アンテナ５２−１に到来角度θ1で到来したときの伝搬係数をｈ１（θ1）と記し、送信アンテナ５１−１からの直接波が、受信アンテナ５２−１に到来角度θ2で到来したときの伝搬係数をｈ１（θ2）と記す。
【００５９】
同様に、送信アンテナ５１−２から出射された電波の反射箱５０による反射波が、受信アンテナ５２−２に到来角度θ1で到来したときの伝搬係数をｈ２（θ1）と記し、送信アンテナ５１−２からの直接波が、受信アンテナ５２−２に到来角度θ2で到来したときの伝搬係数をｈ２（θ2）と記す。
【００６０】
さらに、受信アンテナ５２−１の角度θの放射パターン（利得とほぼ等価）をＧ１（θ）と記し、受信アンテナ５２−２の角度θの放射パターンをＧ２（θ）と記す。
受信アンテナ５２−１、５２−２間の相互作用（アンテナ間相関）を精度よく測定するには、すなわち、マルチアンテナ評価系が満たすべき条件としては、到来角度θ1、θ2それぞれの信号波が互いに独立しており、これらの信号波を長時間に渡って平均したときには分離できるということが必要となる。
【００６１】
受信アンテナ５２−１の受信信号は、以下の式（２）で表せ、受信アンテナ５２−２の受信信号は、以下の式（３）で表せる。なお、ｅｘｐ（ｊ２πｆｔ）は、周波数ｆの正弦波である。
【００６２】
【数１】
2012021875.tif 000003
【００６３】
【数２】
2012021875.tif 000004
【００６４】
また、アンテナ間相関は、各受信アンテナの受信信号の積の時間平均であるので、受信アンテナ５２−１、５２−２間のアンテナ間相関は、式（４）で算出される。なお、＜＞は長時間平均を表す。また、Ｘ*は、Ｘの複素共役を示す（Ｘ＝ａ＋ｊｂのとき、Ｘの複素共役Ｘ*は、Ｘ*＝ａ−ｊｂである）。
【００６５】
【数３】
2012021875.tif 000005
【００６６】
なお、式（４）となる途中の展開を示すと、（h1（θn）・G1（θn）・ｅｘｐ（ｊ２πｆ1ｔ）＋h2（θn）・G1（θn）・ｅｘｐ（ｊ２πｆ2ｔ））×（h1*（θm）・G2*（θm）・ｅｘｐ（−ｊ２πｆ1ｔ）＋h2*（θm）・G2*（θm）・ｅｘｐ（−ｊ２πｆ2ｔ））＝h1（θn）・h1*（θm）・G1（θn）・G2*（θm）・ｅ0＋h2（θn）・h2*（θm）・G1（θn）・G2*（θm）・ｅ0＝（h1（θn）・h1*（θm）＋h2（θn）・h2*（θm））・G1（θn）・G2*（θm）
一方、多様な方向から到来する電波は、互いに相関性がなく分離することができる。そして、相互に無関係な信号を長時間平均すると、分離することができる信号の積の時間平均はゼロに近くなる。
【００６７】
したがって、反射箱５０内でフェージング環境が精度よく再現できていれば、受信アンテナ５２−１、５２−２のそれぞれの受信信号の積の時間平均をとった場合、本来は、G1（θ1）・G2*（θ1）、G1（θ2）・G2*（θ2）の項が残り、かつG1（θ1）・G2*（θ2）、G1（θ2）・G2*（θ1）の項は存在しないことになる。
【００６８】
すなわち、実際の屋外フィールドのフェージング環境では、以下の式（５）となるはずである。
【００６９】
【数４】
2012021875.tif 000006
【００７０】
しかし、図８で示される構成の評価系では、反射箱５０内では、上記の式（４）となっており、図８のような構成の評価系では、反射箱５０内では実環境を精度よく模擬できていないことがわかる。本技術では、このような点に鑑みてなされたものであり、反射箱内においても、実際の電波伝搬環境を精度よく模擬して、アンテナ間相関を含めたアンテナ特性評価を高精度に行うものである。
【００７１】
次にアンテナ特性評価システム１の制御部１０の構成、動作について詳しく説明する。図９は制御部の構成例を示す図である。制御部１０−１は、信号生成部１１、周波数変換部１２ａ−１、１２ａ−２、２入力１出力の合成部１３ａ−１、１３ａ−２およびスイッチｓｗ１〜ｓｗ４を含む。
【００７２】
信号生成部１１は、ベースバンド信号を生成する。周波数変換部１２ａ−１は、ベースバンド信号の周波数を周波数ｆ１に変換する。周波数変換部１２ａ−２は、ベースバンド信号の周波数を周波数ｆ２に変換する。
【００７３】
合成部１３ａ−１は、周波数ｆ１と周波数ｆ２とを合成（加算）して、合成周波数を生成し、送信アンテナ２１−１へ送信する。合成部１３ａ−２は、周波数ｆ１と周波数ｆ２とを合成して、合成周波数を生成し、送信アンテナ２１−２へ送信する。
【００７４】
スイッチｓｗ１は、送信アンテナ２１−１から周波数ｆ１の信号波を送信し、かつ送信アンテナ２１−２から周波数ｆ２の信号波を送信するとき、または送信アンテナ２１−２から合成周波数の信号波を送信するときにはＯＦＦとなり、送信アンテナ２１−１から合成周波数の信号波を送信するときにはＯＮとなる。
【００７５】
スイッチｓｗ２は、送信アンテナ２１−１から周波数ｆ１の信号波を送信し、かつ送信アンテナ２１−２から周波数ｆ２の信号波を送信するとき、または送信アンテナ２１−１から合成周波数の信号波を送信するときにはＯＦＦとなり、送信アンテナ２１−２から合成周波数の信号波を送信するときにはＯＮとなる。
【００７６】
スイッチｓｗ３は、送信アンテナ２１−２から合成周波数の信号波を送信するときにはＯＦＦとなり、送信アンテナ２１−１から周波数ｆ１の信号波を送信し、かつ送信アンテナ２１−２から周波数ｆ２の信号波を送信するとき、または送信アンテナ２１−１から合成周波数の信号波を送信するときにはＯＮとなる。
【００７７】
スイッチｓｗ４は、送信アンテナ２１−１から合成周波数の信号波を送信するときにはＯＦＦとなり、送信アンテナ２１−１から周波数ｆ１の信号波を送信し、かつ送信アンテナ２１−２から周波数ｆ２の信号波を送信するとき、または送信アンテナ２１−２から合成周波数の信号波を送信するときにはＯＮとなる。
【００７８】
各素子の接続構成については、信号生成部１１の出力端は、周波数変換部１２ａ−１、１２ａ−２の入力端に接続する。周波数変換部１２ａ−１の出力端は、合成部１３ａ−１の入力端ｐ１と接続する。合成部１３ａ−１の入力端ｐ２は、スイッチｓｗ１の端子ａと接続し、合成部１３ａ−１の出力端ｐ３は、スイッチｓｗ２の端子ｃと、スイッチｓｗ３の端子ｅと接続し、スイッチｓｗ３の端子ｆは、送信アンテナ２１−１と接続する。
【００７９】
周波数変換部１２ａ−２の出力端は、スイッチｓｗ１の端子ｂと、合成部１３ａ−２の入力端ｐ１１と接続する。合成部１３ａ−２の入力端ｐ１２は、スイッチｓｗ２の端子ｄと接続し、合成部１３ａ−２の出力端ｐ１３は、スイッチｓｗ４の端子ｇと接続し、スイッチｓｗ４の端子ｈは、送信アンテナ２１−２と接続する。
【００８０】
図１０〜図１２は制御部１０−１による周波数の割り振り例を示す図である。図１０のパターン＃１−１は、スイッチｓｗ１、ｓｗ２をＯＦＦにし、スイッチｓｗ３、ｓｗ４をＯＮにしたときの状態である。この場合、送信アンテナ２１−１から周波数ｆ１の信号波が出力し、送信アンテナ２１−２から周波数ｆ２の信号波が出力する。
【００８１】
図１１のパターン＃１−２は、スイッチｓｗ１、ｓｗ３をＯＮにし、スイッチｓｗ２、ｓｗ４をＯＦＦにしたときの状態である。この場合、周波数変換部１２ａ−１から出力された周波数ｆ１と、周波数変換部１２ａ−２から出力された周波数ｆ２とが合成部１３ａ−１で合成され、合成周波数の信号波が送信アンテナ２１−１のみから出力される。送信アンテナ２１−２からの出射電波はない。
【００８２】
図１２のパターン＃１−３は、スイッチｓｗ１、ｓｗ３をＯＦＦにし、スイッチｓｗ２、ｓｗ４をＯＮにしたときの状態である。この場合、周波数変換部１２ａ−１から出力された周波数ｆ１の信号と、周波数変換部１２ａ−２から出力された周波数ｆ２の信号とが合成部１３ａ−２で合成され、合成周波数の信号波が送信アンテナ２１−２のみから出力される。送信アンテナ２１−１からの出射電波はない。
【００８３】
このようなパターン＃１−１〜＃１−３を組み合わせて（例えば、一定時間間隔おきにパターン＃１−１、パターン＃１−２、パターン＃１−３を順次切り替えるなど）、送信アンテナ２１−１、２１−２から多様な周波数パターンの組み合わせの電波を出力させる。
【００８４】
ここで、２つの送信アンテナ２１−１、２１−２を送信アンテナ（２１−１、２１−２）と表記し、送信アンテナ２１−１に割り振る周波数をｆａ、送信アンテナ２１−２に割り振る周波数をｆｂとして、パターン（ｆａ、ｆｂ）と表記する。
【００８５】
すると、上記の内容は、送信アンテナ（２１−１、２１−２）からパターン（ｆ１、ｆ２）、（ｆ１＋ｆ２、０）、（０、ｆ１＋ｆ２）の周波数の信号波の送出組み合わせで受信アンテナ２２−１、２２−２を評価することになる。なお、ｆ１＋ｆ２は、ｆ１周波数の正弦波とｆ２の周波数の正弦波の和を表し、周波数がｆ１＋ｆ２であることではない。
【００８６】
このような周波数設定制御を行うことにより、反射箱２０内において、異なる方向から受信アンテナへ到来する電波の相関性を無相関に近づけることができ、屋外フィールドの実環境に近いフェージング環境を反射箱２０内に生成することができる。このため、受信アンテナのアンテナ間相関の評価を精度よく行うことが可能になる。
【００８７】
次に上記のパターン＃１−１〜＃１−３における積の時間平均の式（以降、アンテナ間相関式とも呼ぶ）を示して、反射箱２０内での試験環境が、実際のフェージング環境に近づくことについて説明する。
【００８８】
パターン＃１−１のアンテナ間相関式は、以下の式（６）となる。
【００８９】
【数５】
2012021875.tif 000007
【００９０】
式（６）中の［｜ｈ１（θn）｜2＋｜ｈ２（θn）｜2］は、同じ方向からの到来波であり、正の実数であり、異なるアンテナの組み合わせで平均すると定数になる。また、式（６）中の［ｈ１（θn）ｈ１*（θm）＋ｈ２（θn）ｈ２*（θm）］は、異なる方向からの到来波であり、正負の複素数であり、異なるアンテナの組み合わせで平均すると０に近づく。すなわち、伝搬特性が異なり、伝搬係数として正負の複素数は時間的に十分に長く平均すると０に近づく。
【００９１】
パターン＃１−２のアンテナ間相関式は以下の式（７）となる。
【００９２】
【数６】
2012021875.tif 000008
【００９３】
式（７）中の［｜ｈ１（θn）｜2＋｜ｈ１（θn）｜2］は、同じ方向からの到来波であり、正の実数であり、異なるアンテナの組み合わせで平均すると定数になる。また、式（７）中の［ｈ１（θn）ｈ１*（θm）＋ｈ１（θn）ｈ１*（θm）］は、異なる方向からの到来波であり、正負の複素数であり、異なるアンテナの組み合わせで平均すると０に近づく。
【００９４】
パターン＃１−３のアンテナ間相関式は以下の式（８）となる。
【００９５】
【数７】
2012021875.tif 000009
【００９６】
式（８）中の［｜ｈ２（θn）｜2＋｜ｈ２（θn）｜2］は、同じ方向からの到来波であり、正の実数であり、異なるアンテナの組み合わせで平均すると定数になる。また、式中の［ｈ２（θn）ｈ２*（θm）＋ｈ２（θn）ｈ２*（θm）］は、異なる方向からの到来波であり、正負の複素数であり、異なるアンテナの組み合わせで平均すると０に近づく。
【００９７】
したがって、パターン＃１−１〜＃１−３を組み合わせた周波数の電波を、送信アンテナ２１−１、２１−２から送出することで、パターン＃１−１〜＃１−３による周波数パターンを平均すると、［｜ｈ１（θn）｜2＋｜ｈ２（θn）｜2］、［｜ｈ１（θn）｜2＋｜ｈ１（θn）｜2］、［｜ｈ２（θn）｜2＋｜ｈ２（θn）｜2］の項が残るので、本来のアンテナ間相関式である式（５）と一致する。
【００９８】
すなわち、複数の信号波が、到来方向や周波数が異なり、互いに独立した状態で受信アンテナへ到達する環境を、反射箱２０内に生成することができるので、反射箱２０内でフェージング環境を精度よく模擬することができる。
【００９９】
次に図１０〜図１２で示した周波数パターン以外の例について、以下に変形例１〜３として説明する。
（変形例１）
図１３は制御部の構成例を示す図である。制御部１０−２は、信号生成部１１−１、１１−２、周波数変換部１２ｂ−１〜１２ｂ−４および２入力１出力の合成部１３ｂ−１、１３ｂ−２を含む。
【０１００】
信号生成部１１−１は、１つの送信アンテナ用のベースバンド信号（第１の信号に該当）を生成し、信号生成部１１−２は、１つの送信アンテナ用のベースバンド信号（第２の信号に該当）を生成する。信号生成部１１−１で生成するベースバンド信号の情報と、信号生成部１１−２で生成するベースバンド信号の情報とは異なる。
【０１０１】
周波数変換部１２ｂ−１、１２ｂ−３は、信号生成部１１−１で生成されたベースバンド信号の周波数変換を行う。周波数変換部１２ｂ−２、１２ｂ−４は、信号生成部１１−２で生成されたベースバンド信号の周波数変換を行う。
【０１０２】
合成部１３ｂ−１は、周波数変換部１２ｂ−１で生成された周波数と、周波数変換部１２ｂ−２で生成された周波数とを合成して、合成周波数を生成し、送信アンテナ２１−１へ送信する。
【０１０３】
合成部１３ｂ−２は、周波数変換部１２ｂ−３で生成された周波数と、周波数変換部１２ｂ−４で生成された周波数とを合成して、合成周波数を生成し、送信アンテナ２１−２へ送信する。
【０１０４】
図１４、図１５は制御部１０−２による周波数の割り振り例を示す図である。図１４のパターン＃２−１においては、周波数変換部１２ｂ−１は、信号生成部１１−１からの出力信号の周波数を周波数ｆ１に変換し、周波数変換部１２ｂ−２は、信号生成部１１−２からの出力信号の周波数を周波数ｆ２に変換する。そして、合成部１３ｂ−１は、周波数ｆ１と周波数ｆ２とを合成して、合成周波数を送信アンテナ２１−１へ出力する。
【０１０５】
また、周波数変換部１２ｂ−３は、信号生成部１１−１からの出力信号の周波数を周波数ｆ３に変換し、周波数変換部１２ｂ−４は、信号生成部１１−２からの出力信号の周波数を周波数ｆ４に変換する。そして、合成部１３ｂ−２は、周波数ｆ３と周波数ｆ４とを合成して、合成周波数を送信アンテナ２１−２へ出力する。
【０１０６】
図１５のパターン＃２−２においては、周波数変換部１２ｂ−１は、信号生成部１１−１からの出力信号の周波数を周波数ｆ３に変換し、周波数変換部１２ｂ−２は、信号生成部１１−２からの出力信号の周波数を周波数ｆ４に変換する。そして、合成部１３ｂ−１は、周波数ｆ３と周波数ｆ４とを合成して、合成周波数を送信アンテナ２１−１へ出力する。
【０１０７】
また、周波数変換部１２ｂ−３は、信号生成部１１−１からの出力信号の周波数を周波数ｆ１に変換し、周波数変換部１２ｂ−４は、信号生成部１１−２からの出力信号の周波数を周波数ｆ２に変換する。そして、合成部１３ｂ−２は、周波数ｆ１と周波数ｆ２とを合成して、合成周波数を送信アンテナ２１−２へ出力する。
【０１０８】
このようなパターン＃２−１、＃２−２を組み合わせて（例えば、一定時間間隔おきにパターン＃２−１、パターン＃２−２を順次切り替えるなど）、送信アンテナ２１−１、２１−２から多様な周波数パターンの電波を出力させる。
【０１０９】
上記の変形例１のような周波数設定制御を行うことにより、反射箱２０内において、異なる方向から受信アンテナへ到来する電波の相関性を無相関に近づけることができ、屋外フィールドの実環境に近いフェージング環境を反射箱２０内で生成することができる。このため、受信アンテナのアンテナ間相関の評価を精度よく行うことが可能になる。
【０１１０】
（変形例２）
図１６は制御部の構成例を示す図である。制御部１０−３は、信号生成部１１−１、１１−２、周波数変換部１２ｃ−１、１２ｃ−２、周波数変換・重み付け処理部１４ｃ−１、１４ｃ−２および２入力１出力の合成部１３ｃ−１、１３ｃ−２を含む。
【０１１１】
信号生成部１１−１は、１つの送信アンテナ用のベースバンド信号を生成し、信号生成部１１−２は、１つの送信アンテナ用のベースバンド信号を生成する。信号生成部１１−１で生成するベースバンド信号の情報と、信号生成部１１−２で生成するベースバンド信号の情報とは異なる。
【０１１２】
周波数変換部１２ｃ−１、１２ｃ−２は、信号生成部１１−１で生成されたベースバンド信号の周波数変換を行う。周波数変換・重み付け処理部１４ｃ−１、１４ｃ−２は、信号生成部１１−２で生成されたベースバンド信号の周波数変換を行って複数の周波数を生成する。そして、複数の周波数に重み付けを行って合成し、１つの重み付け周波数を生成する。
【０１１３】
図１７、図１８は制御部１０−３による周波数の割り振り例を示す図である。図１７のパターン＃３−１においては、周波数変換部１２ｃ−１は、信号生成部１１−１からの出力信号の周波数を周波数ｆ１に変換する。
【０１１４】
周波数変換・重み付け処理部１４ｃ−１は、信号生成部１１−２からの出力信号の周波数を周波数ｆ１、ｆ２に変換する。そして、周波数ｆ１に重み付け係数αを乗算し、周波数ｆ２に重み付け係数（１−α2）1/2を乗算し、２つの乗算結果を加算して、重み付け周波数を生成する。合成部１３ｃ−１は、周波数ｆ１と、周波数変換・重み付け処理部１４ｃ−１から出力された重み付け周波数とを合成して、合成周波数を送信アンテナ２１−１へ出力する。
【０１１５】
また、周波数変換部１２ｃ−２は、信号生成部１１−１からの出力信号の周波数を周波数ｆ３に変換する。周波数変換・重み付け処理部１４ｃ−２は、信号生成部１１−２からの出力信号の周波数を周波数ｆ３、ｆ４に変換する。そして、周波数ｆ３に重み付け係数αを乗算し、周波数ｆ４に重み付け係数（１−α2）1/2を乗算し、２つの乗算結果を加算して、重み付け周波数を生成する。合成部１３ｃ−２は、周波数ｆ３と、周波数変換・重み付け処理部１４ｃ−２から出力された重み付け周波数とを合成して、合成周波数を送信アンテナ２１−２へ出力する。
【０１１６】
図１８のパターン＃３−２においては、周波数変換部１２ｃ−１は、信号生成部１１−１からの出力信号の周波数を周波数ｆ３に変換する。周波数変換・重み付け処理部１４ｃ−１は、信号生成部１１−２からの出力信号の周波数を周波数ｆ３、ｆ４に変換する。そして、周波数ｆ３に重み付け係数αを乗算し、周波数ｆ４に重み付け係数（１−α2）1/2を乗算し、２つの乗算結果を加算して、重み付け周波数を生成する。合成部１３ｃ−１は、周波数ｆ３と、周波数変換・重み付け処理部１４ｃ−１から出力された重み付け周波数とを合成して、合成周波数を送信アンテナ２１−１へ出力する。
【０１１７】
また、周波数変換部１２ｃ−２は、信号生成部１１−１からの出力信号の周波数を周波数ｆ１に変換する。周波数変換・重み付け処理部１４ｃ−２は、信号生成部１１−２からの出力信号の周波数を周波数ｆ１、ｆ２に変換する。そして、周波数ｆ１に重み付け係数αを乗算し、周波数ｆ２に重み付け係数（１−α2）1/2を乗算し、２つの乗算結果を加算して、重み付け周波数を生成する。合成部１３ｃ−２は、周波数ｆ１と、周波数変換・重み付け処理部１４ｃ−２から出力された重み付け周波数とを合成して、合成周波数を送信アンテナ２１−２へ出力する。
【０１１８】
このようなパターン＃３−１、＃３−２を組み合わせて（例えば、一定時間間隔おきにパターン＃３−１、パターン＃３−２を順次切り替えるなど）、送信アンテナ２１−１、２１−２から多様な周波数パターンの電波を出力させる。
【０１１９】
上記の変形例２のような周波数設定制御を行うことにより、反射箱２０内において、異なる方向から受信アンテナへ到来する電波の相関性を無相関に近づけることができ、屋外フィールドの実環境に近いフェージング環境を反射箱２０内で生成することができる。このため、受信アンテナのアンテナ間相関の評価を精度よく行うことが可能になる。
【０１２０】
（変形例３）
図１９は制御部の構成例を示す図である。制御部１０−４は、信号生成部１１、周波数変換部１２ｄ−１、１２ｄ−２およびスイッチｓｗ５を含む。信号生成部１１は、ベースバンド信号を生成する。周波数変換部１２ｄ−１は、ベースバンド信号の周波数を周波数ｆ１に変換する。周波数変換部１２ｄ−２は、ベースバンド信号の周波数を周波数ｆ２に変換する。
【０１２１】
スイッチｓｗ５は、送信アンテナ２１−１から周波数ｆ１を送信し、かつ送信アンテナ２１−２から何も送信しないときはＯＦＦとなり、送信アンテナ２１−１から周波数ｆ１を送信し、かつ送信アンテナ２１−２から周波数ｆ２を送信するときはＯＮとなる。
【０１２２】
なお、信号生成部１１の出力端は、周波数変換部１２ｄ−１の入力端と接続し、スイッチｓｗ５の端子ｉと接続する。周波数変換部１２ｄ−１の出力端は、送信アンテナ２１−１と接続する。スイッチｓｗ５の端子ｊは、周波数変換部１２ｄ−２の入力端と接続し、周波数変換部１２ｄ−２の出力端は、送信アンテナ２１−２と接続する。
【０１２３】
図２０は制御部１０−４による周波数の割り振り例を示す図である。パターン＃４−１においては、スイッチｓｗ５をＯＮにしたときの状態であり、この状態を時間Ｔだけ継続する。この場合、送信アンテナ２１−１から周波数ｆ１の信号波が出力し、送信アンテナ２１−２から周波数ｆ２の信号波が出力する。
【０１２４】
また、パターン＃４−２においては、スイッチｓｗ５をＯＦＦにしたときの状態であり、この状態を時間Ｓ（＜Ｔ）だけ継続する。この場合、送信アンテナ２１−１から周波数ｆ１の単一信号波が出力し、送信アンテナ２１−２からの出射電波はない。
【０１２５】
このようなパターン＃４−１、＃４−２を組み合わせて、送信アンテナ２１−１、２１−２から多様な周波数パターンの電波を出力させる。上記の変形例３のような周波数設定制御を行うことにより、反射箱２０内において、異なる方向から受信アンテナへ到来する電波の相関性を無相関に近づけることができ、屋外フィールドの実環境に近いフェージング環境を反射箱２０内で生成することができる。このため、受信アンテナのアンテナ間相関の評価を精度よく行うことが可能になる。
【０１２６】
以上、実施の形態を例示したが、実施の形態で示した各部の構成は同様の機能を有する他のものに置換することができる。また、他の任意の構成物や工程が付加されてもよい。
（付記１）  評価対象のアンテナである複数の受信アンテナと、
電波を放射する複数の送信アンテナと、
信号を生成して前記信号の周波数変換を行い、前記送信アンテナの数以上の周波数を生成して、前記送信アンテナに割り振る前記周波数の組み合わせを可変設定する制御部と、
前記受信アンテナと接続し、前記電波を受信したときの前記受信アンテナのアンテナ特性の評価を行う評価部と、
を有することを特徴とするアンテナ特性評価システム。
【０１２７】
（付記２）  前記制御部は、異なる周波数を合成した合成周波数を、前記送信アンテナ毎に割り振ることを特徴とする付記１記載のアンテナ特性評価システム。
（付記３）  前記制御部は、異なる周波数を重み付け合成した重み付け合成周波数を、前記送信アンテナ毎に割り振ることを特徴とする付記１記載のアンテナ特性評価システム。
【０１２８】
（付記４）  前記制御部は、前記送信アンテナに複数の前記周波数を割り振る第１のパターンと、単一の前記周波数を割り振る第２のパターンとを設定し、前記第２のパターンの設定時間を前記第１のパターンの設定時間よりも短くすることを特徴とする付記１記載のアンテナ特性評価システム。
【０１２９】
（付記５）  ２つの前記送信アンテナを第１の送信アンテナと、第２の送信アンテナとし、前記信号の周波数変換後の周波数を周波数ｆ１、ｆ２（ｆ１≠ｆ２）とした場合、
前記制御部は、
前記周波数ｆ１を前記第１の送信アンテナに割り振り、前記周波数ｆ２を前記第２の送信アンテナに割り振る第１のパターンと、
前記周波数ｆ１と前記周波数ｆ２とを合成した合成周波数を前記第１の送信アンテナに割り振り、前記第２の送信アンテナには周波数を割り振らない第２のパターンと、
前記周波数ｆ１と前記周波数ｆ２とを合成した合成周波数を前記第２の送信アンテナに割り振り、前記第１の送信アンテナには周波数を割り振らない第３のパターンと、
の組み合わせを設定することを特徴とする付記１記載のアンテナ特性評価システム。
【０１３０】
（付記６）  ２つの前記送信アンテナを第１の送信アンテナと、第２の送信アンテナとし、情報の異なる２つの前記信号を第１の信号、第２の信号とし、前記第１の信号の周波数変換後の周波数を周波数ｆ１、ｆ３（ｆ１≠ｆ３）とし、前記第２の信号の周波数変換後の周波数を周波数ｆ２、ｆ４（ｆ２≠ｆ４）とした場合、
前記制御部は、
前記周波数ｆ１と前記周波数ｆ２とを合成した合成周波数を前記第１の送信アンテナに割り振り、前記周波数ｆ３と前記周波数ｆ４とを合成した合成周波数を前記第２の送信アンテナに割り振る第１のパターンと、
前記周波数ｆ３と前記周波数ｆ４とを合成した合成周波数を前記第１の送信アンテナに割り振り、前記周波数ｆ１と前記周波数ｆ２とを合成した合成周波数を前記第２の送信アンテナに割り振る第２のパターンと、
の組み合わせを設定することを特徴とする付記１記載のアンテナ特性評価システム。
【０１３１】
（付記７）  ２つの前記送信アンテナを第１の送信アンテナと、第２の送信アンテナとし、情報の異なる２つの前記信号を第１の信号、第２の信号とし、前記第１の信号の周波数変換後の周波数を周波数ｆ１、ｆ３（ｆ１≠ｆ３）とし、前記第２の信号の周波数変換後の周波数を周波数ｆ１、ｆ２、ｆ３、ｆ４（ｆ１≠ｆ２≠ｆ３≠ｆ４）とした場合、
前記制御部は、
前記周波数ｆ１と、前記周波数ｆ１および前記周波数ｆ２にそれぞれ重み付けして合成した重み付け周波数と、を合成した合成周波数を前記第１の送信アンテナに割り振り、前記周波数ｆ３と、前記周波数ｆ３および前記周波数ｆ４にそれぞれ重み付けして合成した重み付け周波数と、を合成した合成周波数を前記第２の送信アンテナに割り振る第１のパターンと、
前記周波数ｆ３と、前記周波数ｆ３および前記周波数ｆ４にそれぞれ重み付けして合成した重み付け周波数と、を合成した合成周波数を前記第１の送信アンテナに割り振り、前記周波数ｆ１と、前記周波数ｆ１および前記周波数ｆ２にそれぞれ重み付けして合成した重み付け周波数と、を合成した合成周波数を前記第２の送信アンテナに割り振る第２のパターンと、
の組み合わせを設定することを特徴とする付記１記載のアンテナ特性評価システム。
【０１３２】
（付記８）  ２つの前記送信アンテナを第１の送信アンテナと、第２の送信アンテナとし、前記信号の周波数変換後の周波数を周波数ｆ１、ｆ２（ｆ１≠ｆ２）とした場合、
前記制御部は、
前記周波数ｆ１を前記第１の送信アンテナに割り振り、前記周波数ｆ２を前記第２の送信アンテナに割り振る第１のパターンと、
前記周波数ｆ１を前記第１の送信アンテナに割り振り、前記第２の送信アンテナには周波数を割り振らない第２のパターンと、
を生成し、前記第１のパターンの設定時間よりも前記第２のパターンの設定時間を短くして設定することを特徴とする付記１記載のアンテナ特性評価システム。
【０１３３】
（付記９）  アンテナ特性評価方法において、
評価対象のアンテナである複数の受信アンテナと、電波を放射する複数の送信アンテナと、を反射箱内に配置し、
信号を生成して前記信号の周波数変換を行い、前記送信アンテナの数以上の周波数を生成して、前記送信アンテナに割り振る前記周波数の組み合わせを可変設定し、
前記周波数の組み合わせが設定された前記電波を放射して、前記電波を受信したときの前記受信アンテナのアンテナ特性の評価を行う、
ことを特徴とするアンテナ特性評価方法。
【符号の説明】
【０１３４】
１  アンテナ特性評価システム
１０  制御部
２０  反射箱
２１−１、２１−２  送信アンテナ
２２−１、２２−２  受信アンテナ
３０  評価部
【図１】
2012021875.tif 000010
【図２】
2012021875.tif 000011
【図３】
2012021875.tif 000012
【図４】
2012021875.tif 000013
【図５】
2012021875.tif 000014
【図６】
2012021875.tif 000015
【図７】
2012021875.tif 000016
【図８】
2012021875.tif 000017
【図９】
2012021875.tif 000018
【図１０】
2012021875.tif 000019
【図１１】
2012021875.tif 000020
【図１２】
2012021875.tif 000021
【図１３】
2012021875.tif 000022
【図１４】
2012021875.tif 000023
【図１５】
2012021875.tif 000024
【図１６】
2012021875.tif 000025
【図１７】
2012021875.tif 000026
【図１８】
2012021875.tif 000027
【図１９】
2012021875.tif 000028
【図２０】
2012021875.tif 000029